(57)【要約】【課題】  複数の移動局に対してデータベースの共有を図ることが可能な無線通信システムを提供する。【解決手段】  基地局１、移動局２で構成し、基地局と移動局間で無線通信を行う無線通信システムにおいて、基地局１にデータベース１−２装置を備え、基地局で、入力した目的地の位置情報をデータベース装置により目的地の経度、緯度データに変換してから移動局に送信し、移動局では目的地の経度、緯度データを受信し、地図上に目的地を表示することおよび音声合成で報知することの少なくともいずれかをすることを特徴とする。【選択図】図１
2007096563.tif 000002
【特許請求の範囲】
【請求項１】
基地局、移動局で構成し、前記基地局と前記移動局間で無線通信を行う無線通信システムにおいて、前記基地局にデータベース装置を備え、前記基地局で、入力した目的地の位置情報を前記データベース装置により前記目的地の経度、緯度データに変換してから前記移動局に送信し、前記移動局では前記目的地の経度、緯度データを受信し、地図上に前記目的地を表示することおよび音声合成で報知することの少なくともいずれかをすることを特徴とする無線通信システム。
【請求項２】
基地局、移動局で構成し、前記基地局と前記移動局間で無線通信を行う無線通信システムにおいて、前記基地局にデータベース装置、前記移動局にＧＰＳ受信機を備え、前記移動局では、前記ＧＰＳ受信機で自局の経度、緯度データを受信して前記基地局に送信し、前記基地局では、前記自局の経度、緯度データを受信し、前記データベース装置により前記自局の位置情報に変換して前記基地局に送信し、前記移動局では前記自局の位置情報を受信し、表示することおよび音声合成で報知することの少なくともいずれかをすることを特徴とする無線通信システム。
【請求項３】
基地局、移動局で構成し、前記基地局と前記移動局間で無線通信を行う無線通信システムにおいて、前記基地局にデータベース装置、前記移動局にＧＰＳ受信機を備え、前記基地局で、入力した目的地の位置情報を前記データベース装置により前記目的地の経度、緯度データに変換してから前記移動局に送信し、前記移動局では前記目的地の経度、緯度データを受信し、地図上に前記目的地を表示することおよび前記目的地を音声合成で報知することの少なくともいずれかをするとともに、前記移動局では、前記ＧＰＳ受信機で自局の経度、緯度データを受信して局に送信し、前記基地局では、前記自局の経度、緯度データを受信し、前記データベース装置により前記自局の位置情報に変換して前記基地局に送信し、前記移動局では前記自局の位置情報を受信し、地図上に前記目的地とともに表示することおよび音声合成で報知することの少なくともいずれかをすることを特徴とする無線通信システム。
【発明の詳細な説明】
【技術分野】
【０００１】
本発明は、移動局の移動先の目的地や現在の位置を移動局自体が確認可能な無線通信システムに関する。
【背景技術】
【０００２】
移動局が消防車や救急車である緊急指令無線通信システムにおいては、緊急時、基地局は、移動局（消防車や救急車）に、すみやかに、移動先の目的地を指示する必要がある。
【０００３】
また高速道路には一定間隔で位置ポスト（キロポスト）が配置されているが、ドライバは運転しながら、高速道路上の位置ポスト（キロポスト）自体を確認したり、その表示内容を明確に確認することは、困難である。
【０００４】
移動局自体に、ＧＰＳ（Global positioning System）受信部とデータベース部を備え、ＧＰＳ受信部で受信した自局の経度、緯度データを、データベース部を使って標識情報に変換し、変換した標識情報を出力部で音声や映像にて、運転者に報知する技術が、例えば、特許文献１に記載されている。
【０００５】
【特許文献１】特開２００１−３４８８７号公報
【発明の開示】
【発明が解決しようとする課題】
【０００６】
しかしながら、移動局自体にいちいちデータベース部を備えることは、移動局が高価になり、且つ蓄積可能なデータベース量にも限度がある。
【０００７】
本発明の目的は、複数の移動局に対してデータベースの共有を図ることが可能な無線通信システムを提供することにある。
【課題を解決するための手段】
【０００８】
本発明は、基地局、移動局で構成し、前記基地局と前記移動局間で無線通信を行う無線通信システムにおいて、前記基地局にデータベース装置を備え、前記基地局で、入力した目的地の位置情報を前記データベース装置により前記目的地の経度、緯度データに変換してから前記移動局に送信し、前記移動局では前記目的地の経度、緯度データを受信し、地図上に前記目的地を表示することおよび音声合成で報知することの少なくともいずれかをすることを特徴とする。
【０００９】
また本発明は、基地局、移動局で構成し、前記基地局と前記移動局間で無線通信を行う無線通信システムにおいて、前記基地局にデータベース装置、前記移動局にＧＰＳ受信機を備え、前記移動局では、前記ＧＰＳ受信機で自局の経度、緯度データを受信して前記基地局に送信し、前記基地局では、前記自局の経度、緯度データを受信し、前記データベース装置により前記自局の位置情報に変換して前記基地局に送信し、前記移動局では前記自局の位置情報を受信し、表示することおよび音声合成で報知することの少なくともいずれかをすることを特徴とすることを特徴とする。
【００１０】
また本発明は、基地局、移動局で構成し、前記基地局と前記移動局間で無線通信を行う無線通信システムにおいて、前記基地局にデータベース装置、前記移動局にＧＰＳ受信機を備え、前記基地局で、入力した目的地の位置情報を前記データベース装置により前記目的地の経度、緯度データに変換してから前記移動局に送信し、前記移動局では前記目的地の経度、緯度データを受信し、地図上に前記目的地を表示することおよび前記目的地を音声合成で報知することの少なくともいずれかをするとともに、前記移動局では、前記ＧＰＳ受信機で自局の経度、緯度データを受信して局に送信し、前記基地局では、前記自局の経度、緯度データを受信し、前記データベース装置により前記自局の位置情報に変換して前記基地局に送信し、前記移動局では前記自局の位置情報を受信し、地図上に前記目的地とともに表示することおよび音声合成で報知することの少なくともいずれかをすることを特徴とする。
【発明の効果】
【００１１】
本発明によれば、複数の移動局に対してデータベースの共有を図ることが可能な無線通信システムを得ることができる。
【発明を実施するための最良の形態】
【００１２】
本発明に係る無線通信システムの実施の形態について、図１〜図２を用いて詳述する。
【００１３】
図１は、本発明に係る無線通信システムの実施の形態の構成図である。
【００１４】
図１において、基地局１は、基地局本体１−１，データベース装置１−２で構成され、移動局２は、移動局無線機２−１，ＧＰＳアンテナ２−２，ＧＰＳ受信機２−３，アダプタ２−４，表示装置２−５，音声合成装置２−６，スピーカ２−７で構成される。
【００１５】
図２は、図１の無線通信システムにおける動作例１，動作例２を示すフローチャート図である。いずれも移動局２が消防車や救急車の例である。
【００１６】
（１）動作例１：基地局１が移動局（消防車や救急車）２に移動先の目的地を通報する場合。
【００１７】
ステップ２０１で、基地局本体１−１は、移動局（消防車や救急車）２の移動先の目的地の住所を入力する。
【００１８】
ステップ２０２で、基地局本体１−１はデータベース装置１−２を使って、住所を、緯度、経度データに変換する。
【００１９】
ステップ２０３で、基地局本体１−１は無線信号にて緯度、経度データを、移動局（消防車や救急車）２に送信する。
【００２０】
ステップ２０４で、移動局（消防車や救急車）２は、移動局無線機２−１で、緯度、経度データを受信する。
【００２１】
ステップ２０５で、表示装置２−５は、地図上に目的地を表示し、また音声合成装置２−６は、音声に変換しスピーカ２−７で報知する。
【００２２】
（２）動作例２：移動局（消防車や救急車）２自体が現在位置を確認する場合。
【００２３】
ステップ３０１で、移動局（消防車や救急車）２は、ＧＰＳアンテナ２−２を使ってＧＰＳ受信機２−３で、自局の経度、緯度データを受信する。
【００２４】
ステップ３０２で、移動局（消防車や救急車）２は、受信した自局の経度、緯度データを、アダプタ装置２−４で移動局無線機２−１で送信可能な自局の経度、緯度データに変換し、移動局無線機２−１から、基地局１に送信する。
【００２５】
ステップ３０３で、基地局１は、基地局本体１−１で、自局の経度、緯度データを受信する。
【００２６】
ステップ３０４で、基地局本体１−１はデータベース装置１−２を使って、自局の経度、緯度データを、位置情報としての例えばポストデータに変換する。
【００２７】
ステップ３０５で、基地局本体１−１は無線信号にてポストデータを、移動局（消防車や救急車）２に送信する。
【００２８】
ステップ３０６で、移動局（消防車や救急車）２は、移動局無線機２−１で、ポストデータを受信する。
【００２９】
ステップ３０７で、表示装置２−５は、地図上にポストデータを表示し、また音声合成装置２−６は、音声に変換しスピーカ２−７で報知する。
【００３０】
（３）動作例１＋動作例２：基地局１が移動局（消防車や救急車）２に移動先の目的地を通報するとともに、移動局（消防車や救急車）２自体が現在位置を確認する場合。
【００３１】
この場合は、上記ステップ２０１から上記ステップ２０５の動作に続けて、上記ステップ３０１から上記３０７の動作を続けることで、動作を達成する。
【００３２】
この場合、移動局（消防車や救急車）２は、地図上に自局の現在位置と移動先の目的地を表示し、また音声合成で報知する。
【００３３】
なお、図１において、表示装置２−５と、音声合成装置２−６，スピーカ２−７はいずれかであってもよい。また移動先の目的地は、目的地点の場所でなく目標となる建物であってもよい。
【図面の簡単な説明】
【００３４】
【図１】本発明に係る無線通信システムの実施の形態の構成図である。
【図２】図１の無線通信システムにおける動作例１，動作例２を示すフローチャート図である。
【符号の説明】
【００３５】
１：基地局、１−１：基地局本体、１−２：データベース装置、２：移動局、２−１：移動局無線機、２−２：ＧＰＳアンテナ、２−３：ＧＰＳ受信機、２−４：アダプタ、２−５：表示装置、２−６：音声合成装置、２−７：スピーカ。
【図１】
2007096563.tif 000003
【図２】
2007096563.tif 000004